(57)【要約】【課題】ＨＥＣ対応のＨＤＭＩ規格に準拠した通信装置の無駄な電力消費を抑制する技術を提供する。【解決手段】ＨＥＣ(HDMI Ethernet Channel)対応のＨＤＭＩ規格に準拠したＨＤＭＩコネクタを備える通信装置であって、前記ＨＤＭＩコネクタに接続されたＨＥＣ対応通信装置とＨＥＣにより通信するＨＥＣ通信手段と、ＨＥＣ対応通信装置が前記ＨＤＭＩコネクタに接続されているか否かをＨＤＭＩ規格のプロトコルを用いて判定する判定手段と、ＨＥＣ対応通信装置が前記ＨＤＭＩコネクタに接続されていないと判定された場合に、前記ＨＥＣ通信手段に対する給電を停止する制御手段と、を備えることを特徴とする通信装置を提供する。【選択図】図２
2011203871.tif 000002
【特許請求の範囲】
【請求項１】
ＨＥＣ(HDMI Ethernet Channel)対応のＨＤＭＩ規格に準拠したＨＤＭＩコネクタを備える通信装置であって、
前記ＨＤＭＩコネクタに接続されたＨＥＣ対応通信装置とＨＥＣにより通信するＨＥＣ通信手段と、
ＨＥＣ対応通信装置が前記ＨＤＭＩコネクタに接続されているか否かをＨＤＭＩ規格のプロトコルを用いて判定する判定手段と、
ＨＥＣ対応通信装置が前記ＨＤＭＩコネクタに接続されていないと判定された場合に、前記ＨＥＣ通信手段に対する給電を停止する制御手段と、
を備えることを特徴とする通信装置。
【請求項２】
前記通信装置は、複数の前記ＨＤＭＩコネクタと、当該複数のＨＤＭＩコネクタそれぞれのための複数の前記ＨＥＣ通信手段と、を備え、
前記判定手段は、前記複数のＨＤＭＩコネクタそれぞれについて、ＨＥＣ対応通信装置が接続されているか否かを判定し、
前記制御手段は、前記複数のＨＥＣ通信手段のうち、ＨＥＣ対応通信装置が接続されていないと判定されたＨＤＭＩコネクタに対応するＨＥＣ通信手段に対する給電を停止する
ことを特徴とする請求項１に記載の通信装置。
【請求項３】
前記通信装置は、前記複数のＨＥＣ通信手段の間で通信をルーティングするルーティング手段を更に備え、
前記制御手段は、前記複数のＨＤＭＩコネクタのいずれにもＨＥＣ対応通信装置が接続されていないと判定された場合、前記ルーティング手段に対する給電を停止する
ことを特徴とする請求項２に記載の通信装置。
【請求項４】
前記通信装置は、Ethernet規格に準拠したEthernetコネクタと、当該Ethernetコネクタに接続された他の通信装置とEthernet規格に従って通信するEthernet通信手段と、を更に備え、
前記ルーティング手段は、前記複数のＨＥＣ通信手段及び前記Ethernet通信手段の間で通信をルーティングするように構成され、
前記制御手段は、前記複数のＨＤＭＩコネクタのいずれにもＨＥＣ対応通信装置が接続されていないと判定され、且つ前記通信装置がスタンバイ状態の場合に、前記Ethernet通信手段及び前記ルーティング手段に対する給電を停止する
ことを特徴とする請求項３に記載の通信装置。
【請求項５】
ＨＥＣ(HDMI Ethernet Channel)対応のＨＤＭＩ規格に準拠したＨＤＭＩコネクタを備える通信装置の制御方法であって、
前記通信装置は、前記ＨＤＭＩコネクタに接続されたＨＥＣ対応通信装置とＨＥＣにより通信するＨＥＣ通信手段を備え、
前記制御方法は、
判定手段が、ＨＥＣ対応通信装置が前記ＨＤＭＩコネクタに接続されているか否かをＨＤＭＩ規格のプロトコルを用いて判定する判定工程と、
制御手段が、ＨＥＣ対応通信装置が前記ＨＤＭＩコネクタに接続されていないと判定された場合に、前記ＨＥＣ通信手段に対する給電を停止する制御工程と、
を備えることを特徴とする制御方法。
【発明の詳細な説明】
【技術分野】
【０００１】
本発明は、通信装置、及びその制御方法に関する。
【背景技術】
【０００２】
ＨＤＭＩ１．４（非特許文献１参照）の規格制定により、映像データ及び音声データに加えてEthernet（登録商標）データを１本のＨＤＭＩケーブルで通信することが可能になった。ＨＤＭＩ１．４によれば、映像データ及び音声データはＴＭＤＳ(Transition Minimized Differential Signaling)ラインを用いてソース機器からシンク機器へと送信される。また、Ethernetデータは、既存のＨＰＤ(Hot Plug Detect)ラインと、従来はReservedであったUtilityラインとを用いて、ソース機器とシンク機器との間で双方向通信が行われる。これにより、Ethernetケーブルを使用せずにＨＤＭＩ機器間でEthernetデータを通信することが可能になるため、ネットワークの構築が容易になる。ネットワークに参加するＨＤＭＩ機器は、自身に接続された他の機器間のEthernetデータを中継する必要がある。
【０００３】
ＨＤＭＩ機器は一般的に、使用されていない時に消費電力を低減するために、スタンバイ状態に移行することができる。スタンバイ状態では、ＨＤＭＩ機器の大部分の回路に対する電力の供給が停止されて消費電力が低減されるが、一部の回路（例えば、リモコンからの信号を受信する回路）に対する電力の供給は継続される。特に、ネットワークに参加するＨＤＭＩ機器は、前述のように他の機器間のEthernetデータを中継する必要があるため、スタンバイ状態であってもルーティング回路（Ethernetスイッチ）に対する電力の供給を継続する必要がある。このことは、ＨＤＭＩ機器の消費電力を増加させる原因となる。
【０００４】
ところで、ネットワークに参加するＨＤＭＩ機器に接続されている他の機器は、必ずしもEthernetデータの通信に対応しているとは限らない。例えば、ＨＤＭＩ１．４に対応したデジタルテレビ（ＤＴＶ）に接続されているＨＤＤレコーダはＨＤＭＩ１．３ａにしか対応しておらず、Ethernetデータの通信に対応していないかもしれない。このような場合、ＤＴＶがスタンバイ状態の際にEthernetスイッチに対する電力の供給を継続してもEthernetスイッチは結局使用されず、消費電力の無駄な増加が発生する。また、スタンバイ状態でなくても、ＨＥＣ非対応のＨＤＤレコーダが接続されたＨＤＭＩコネクタのためのEthernet通信部に供給される電力は無駄になる。
【０００５】
従来、ネットワーク機器における待機電力を低減する技術として、例えば特許文献１が知られている。従来の技術に係るネットワーク機器は、外部の通信機器が接続されているか否かをリンクパルス又はトラフィックの有無をモニタすることにより判断し、接続されていない場合、低消費電力モード（接続有無検出部のみ電源オンの状態）に移行する。
【先行技術文献】
【特許文献】
【０００６】
【特許文献１】特開２００３−８７２９６号公報
【非特許文献】
【０００７】
【非特許文献１】High-Definition Multimedia Interface Specification Version 1.4
【発明の概要】
【発明が解決しようとする課題】
【０００８】
しかしながら、ＨＥＣ対応のＨＤＭＩ機器（通信装置）に従来の技術を適用した場合、ＨＥＣ未対応の機器でもＨＤＭＩコネクタにＨＤＭＩ機器が接続されていればEthernetスイッチに給電することが考えられる。これでは、ＨＤＭＩ規格に応じた効率的な制御を行うことはできない。
【０００９】
本発明はこのような状況に鑑みてなされたものであり、ＨＥＣ対応のＨＤＭＩ規格に準拠した通信装置の無駄な電力消費を抑制する技術を提供することを目的とする。
【課題を解決するための手段】
【００１０】
上記課題を解決するために、第１の本発明は、ＨＥＣ(HDMI Ethernet Channel)対応のＨＤＭＩ規格に準拠したＨＤＭＩコネクタを備える通信装置であって、前記ＨＤＭＩコネクタに接続されたＨＥＣ対応通信装置とＨＥＣにより通信するＨＥＣ通信手段と、ＨＥＣ対応通信装置が前記ＨＤＭＩコネクタに接続されているか否かをＨＤＭＩ規格のプロトコルを用いて判定する判定手段と、ＨＥＣ対応通信装置が前記ＨＤＭＩコネクタに接続されていないと判定された場合に、前記ＨＥＣ通信手段に対する給電を停止する制御手段と、を備えることを特徴とする通信装置を提供する。
【００１１】
なお、その他の本発明の特徴は、添付図面及び以下の発明を実施するための形態における記載によって更に明らかになるものである。
【発明の効果】
【００１２】
以上の構成により、本発明によれば、ＨＥＣ対応のＨＤＭＩ規格に準拠した通信装置の無駄な電力消費を抑制することが可能となる。
【図面の簡単な説明】
【００１３】
【図１】第１の実施形態に係るＤＴＶ１００の概略構成を示すブロック図
【図２】第１の実施形態に係る給電制御を示すフローチャート
【図３】接続機器管理テーブルの２つの例を示す図
【図４】第２の実施形態に係るＤＴＶ１００の概略構成を示すブロック図
【図５】第２の実施形態に係る給電制御を示すフローチャート
【発明を実施するための形態】
【００１４】
以下、添付図面を参照して、本発明の実施形態を説明する。なお、本発明の技術的範囲は、特許請求の範囲によって確定されるのであって、以下の個別の実施形態によって限定されるわけではない。また、実施形態の中で説明されている特徴の組み合わせすべてが、本発明に必須とは限らない。
【００１５】
［第１の実施形態］
本発明の通信装置をデジタルテレビ（ＤＴＶ）に適用した実施形態について説明する。図１は、第１の実施形態に係るＤＴＶ１００の概略構成を示すブロック図である。ＤＴＶ１００は、スタンバイ状態に移行することができる。スタンバイ状態とは、ＤＴＶ１００の大部分のユニットに対する電力の供給は停止されているが、一部のユニット（例えば、後述するEthernetスイッチ部１０６）に対する電力の供給は継続されている状態である。
【００１６】
スタンバイ状態の場合、ＤＴＶ１００全体の消費電力に対するEthernetスイッチ部１０６の消費電力が相対的に大きくなる。そのため、本実施形態では、ＤＴＶ１００がスタンバイ状態の際のEthernetスイッチ部１０６に対する給電制御に重点を置いた説明を行う。しかしながら、本実施形態に係る給電制御は、特に断らない限り、ＤＴＶ１００がスタンバイ状態でない場合でも有効である。
【００１７】
また、本実施形態では、後述するようにＤＴＶ１００はＨＥＣ(HDMI Ethernet Channel)対応のＨＤＭＩ規格に準拠した２つのＨＤＭＩコネクタと、１つのEthernetコネクタとを備える。しかしながら、本実施形態に係る給電制御は、特に断らない限り、ＤＴＶ１００が１つのＨＤＭＩコネクタしか備えない場合でも有効である。
【００１８】
図１において、ＤＴＶ１００は、ＨＤＭＩコネクタ１０１及び１０２と、ＨＤＭＩレシーバー部１０３と、映像表示部１０４と、音声出力部１０５と、Ethernetスイッチ部１０６と、Ethernetコネクタ１０７とを備える。ＤＴＶ１００はまた、ＣＥＣ／ＣＤＣ制御部１０８と、接続機器ツリー管理部１０９と、接続機器機能判定部１１０と、電源制御部１１１と、電源部１１２とを有する。なお、ＣＤＣは、Capability Discovery and Controlの省略形である。
【００１９】
ＨＤＭＩコネクタ１０１及び１０２は、ＨＤＭＩケーブルを介して接続されたＨＤＭＩ機器から映像信号及び音声信号を受信し、ＨＤＭＩレシーバー部１０３に出力する。また、ＨＤＭＩコネクタ１０１及び１０２は、ＣＥＣ／ＣＤＣ制御部１０８に対するＣＥＣ／ＣＤＣ信号の送受信を行う。更に、ＨＤＭＩコネクタ１０１及び１０２は、例えばＨＤＭＩ１．４に準拠してＨＥＣに対応しており、Ethernetスイッチ部１０６に対するEthernet信号の送受信を行う。Ethernetコネクタ１０７は、ＨＤＭＩ接続した機器以外のホームネットワークやインターネットのためのEthernetパケットを送受信する。
【００２０】
ＨＤＭＩレシーバー部１０３は、入力した映像信号及び音声信号に対して所定のデコード処理を行い、映像信号と音声信号とを分離し、各々を映像表示部１０４及び音声出力部１０５に出力する。映像表示部１０４は、入力した映像信号を表示する。音声出力部１０５は、入力した音声信号を出力する。
【００２１】
Ethernetスイッチ部１０６は、ポート１５１、ポート１５２、及びポート１５３を含む。ポート１５１は、ＨＥＣ通信手段として機能し、ＨＤＭＩコネクタ１０１に接続されたＨＥＣ対応のＨＤＭＩ機器（ＨＥＣ対応通信装置）とＨＥＣにより通信する。同様に、ポート１５２も、ＨＥＣ通信手段として機能し、ＨＤＭＩコネクタ１０２に接続されたＨＥＣ対応通信装置とＨＥＣにより通信する。また、ポート１５３は、Ethernet通信手段として機能し、Ethernetコネクタ１０７に接続された他の通信装置（例えば、ホームネットワークのゲートウェイ）とEthernet規格に従って通信する。Ethernetスイッチ部１０６は、ルーティング手段として機能し、ＨＤＭＩコネクタ１０１及び１０２、並びにEthernetコネクタ１０７と接続した機器からのEthernetパケットをルーティングして宛先機器が接続されたポートにパケットを送信する。Ethernetスイッチ部１０６はまた、電源部１１２からの給電を受ける受電部１６０乃至１６３を含む。受電部１６０は、ルーティング手段としてのEthernetスイッチ部１０６に対する給電を受ける。受電部１６１乃至１６３はそれぞれ、ポート１５１乃至１５３に対する給電を受ける。
【００２２】
ＣＥＣ／ＣＤＣ制御部１０８は、ＣＥＣコマンドを接続機器（ＨＤＭＩ機器）と送受信することにより、どのＨＤＭＩコネクタ（ＨＤＭＩコネクタ１０１又は１０２）にＨＤＭＩ機器が接続されているかを判定するデータを取得する。ＣＥＣ／ＣＤＣ制御部１０８は、取得したデータ（接続機器判定データ）を接続機器ツリー管理部１０９に出力する。ＣＥＣ／ＣＤＣ制御部１０８はまた、ＣＤＣコマンドを接続機器と送受信することにより、接続機器がEthernet機能（ＨＥＣ）に対応しているか否かを判定するデータを取得する。ＣＥＣ／ＣＤＣ制御部１０８は、取得したデータ（Ethernet機能有無判定データ）を接続機器機能判定部１１０に出力する。
【００２３】
接続機器ツリー管理部１０９は、ＤＴＶ１００が電源待機状態（スタンバイ状態）に遷移した際に、ＤＴＶ１００に何台のＨＤＭＩ機器がどのＨＤＭＩコネクタに接続されているか確認するコマンドをＣＥＣ／ＣＤＣ制御部１０８に出力する。そして、接続機器ツリー管理部１０９は、上述した接続機器判定データをＣＥＣ／ＣＤＣ制御部１０８から取得して、接続機器一覧を接続機器ツリーとして記憶する。
【００２４】
接続機器機能判定部１１０は、接続機器ツリー管理部１０９が記憶した接続機器に対するEthernet機能有無確認コマンドを、ＣＥＣ／ＣＤＣ制御部１０８に出力する。そして、接続機器機能判定部１１０は、上述したEthernet機能有無判定データをＣＥＣ／ＣＤＣ制御部１０８から取得して、接続機器のEthernet機能有無を記憶する。
【００２５】
電源制御部１１１は、接続機器ツリー管理部１０９が記憶した接続機器情報、及び接続機器機能判定部１１０が記憶したEthernet機能有無情報に基づき、Ethernetスイッチ部１０６の電源投入するポートを判定し、電源部１１２に対して判定結果（電源制御情報）を通知する。
【００２６】
電源部１１２は、ＤＴＶ１００の全体の電源供給を行う。電源部１１２はまた、電源制御部１１１から入力されたEthernetスイッチ部１０６の電源制御情報に従い、ポート単位（ポート１５１乃至１５３）でEthernetスイッチ部１０６に対する電源オン／オフ制御（給電の実行及び停止）を行う。電源部１１２は更に、ルーティング手段としてのEthernetスイッチ部１０６に対する電源オン／オフ制御も行う。
【００２７】
図２は、第１の実施形態に係る給電制御を示すフローチャートである。Ｓ２０１で、電源制御部１１１は、ＤＴＶ１００がスタンバイ状態であるか否かを判定する。例えば、ＤＴＶ１００がリモコン（不図示）を介してユーザからスタンバイ指示を受信した場合に、ＤＴＶ１００はスタンバイ状態になる。ＤＴＶ１００がスタンバイ状態であれば処理はＳ２０２に進み、そうでなければＳ２０１における処理が繰り返される。但し、前述の通り、本実施形態に係る給電制御は、ＤＴＶ１００がスタンバイ状態でない場合も有効であるので、Ｓ２０１の処理は省略されてもよい。
【００２８】
Ｓ２０２で、接続機器ツリー管理部１０９は、ＣＥＣ／ＣＤＣ制御部１０８を通じて、ＣＥＣコマンド（Ｐｏｌｌｉｎｇ）をＨＤＭＩコネクタ１０１及び１０２に接続された機器に対して送信する。接続機器ツリー管理部１０９は、ＣＥＣコマンドに対するレスポンスから接続機器のＬｏｇｉｃａｌ  Ａｄｄｒｅｓｓを取得して記憶する。
【００２９】
Ｓ２０３で、接続機器ツリー管理部１０９は、ＣＥＣ／ＣＤＣ制御部１０８を通じて、Ｓ２０２において記憶したＬｏｇｉｃａｌ  Ａｄｄｒｅｓｓを持つ接続機器に対して、ＣＥＣコマンド（Ｇｅｔ  Ｐｈｙｓｉｃａｌ  Ａｄｄｒｅｓｓ）を送信する。接続機器ツリー管理部１０９は、ＣＥＣコマンドに対するレスポンスから接続機器のＰｈｙｓｉｃａｌ  Ａｄｄｒｅｓｓを取得する。接続機器ツリー管理部１０９は、取得したＰｈｙｓｉｃａｌ  Ａｄｄｒｅｓｓに基づいて、ＤＴＶ１００及び接続機器の接続ツリーを生成して機器管理テーブルとして記憶する。機器管理テーブルについては後述する。
【００３０】
Ｓ２０４で、接続機器機能判定部１１０は、ＨＤＭＩコネクタ１０１及び１０２にＨＥＣ対応のＨＤＭＩ機器が接続されているか否かを、ＨＤＭＩ規格のプロトコルを用いて判定する。具体的には、接続機器機能判定部１１０は、接続機器ツリー管理部１０９から接続機器管理テーブルを取得し、ＣＥＣ／ＣＤＣ制御部１０８を通じて、各接続機器に対してＣＤＣコマンド（ＨＥＣ  Ｆｕｎｃｔｉｏｎａｌｉｔｙ  Ｓｔａｔｅ）を送信する。接続機器機能判定部１１０は、ＣＤＣコマンドに対するレスポンスから、各接続機器がEthernet機能（ＨＥＣ）に対応しているか否かを判定し、その結果を接続機器ツリー管理部１０９の接続機器管理テーブルに記憶する。
【００３１】
ここで、図３を参照して、接続機器管理テーブルについて説明する。Ｓ２０３において取得したＰｈｙｓｉｃａｌ  Ａｄｄｒｅｓｓ（Ａ．Ｂ．Ｃ．Ｄ）のＡの値が１のＨＤＭＩ機器は、ＨＤＭＩコネクタ１０１に接続されている。また、Ａの値が２のＨＤＭＩ機器は、ＨＤＭＩコネクタ１０２に接続されている。また、Ｂ、Ｃ、及びＤの値により、各々のＨＤＭＩコネクタの何段目に接続された機器であるかを判定可能である。
【００３２】
Ｓ２０４において取得したＨＥＣ  Ｆｕｎｃｔｉｏｎａｌｉｔｙ  ＳｔａｔｅがＥｎａｂｌｅであるＨＤＭＩ機器は、ＨＥＣ対応であり、ＨＥＣ  Ｆｕｎｃｔｉｏｎａｌｉｔｙ  ＳｔａｔｅがＤｉｓａｂｌｅであるＨＤＭＩ機器は、ＨＥＣ非対応である。また、ＣＤＣコマンド（ＨＥＣ  Ｆｕｎｃｔｉｏｎａｌｉｔｙ  Ｓｔａｔｅ）に対してレスポンスを返さないＨＤＭＩ機器も、ＨＥＣ非対応であるものと判断される。
【００３３】
図３において、接続機器管理テーブル３０１は、ＨＤＭＩコネクタ１０１に３段目まで機器が接続され、ＨＤＭＩコネクタ１０２に２段目まで機器が接続された状態を示す。また、接続機器管理テーブル３０１は、Ｐｈｙｓｉｃａｌ  Ａｄｄｒｅｓｓが１．０．０．０の機器（ＤＴＶ１００と直接接続された機器の１つ）がEthernet対応（ＨＥＣ対応）である状態を示す。また、接続機器管理テーブル３０１は、Ｐｈｙｓｉｃａｌ  Ａｄｄｒｅｓｓが２．０．０．０の機器（ＤＴＶ１００と直接接続された機器の他の１つ）がEthernet非対応（ＨＥＣ非対応）である状態を示す。
【００３４】
接続機器管理テーブル３０２は、接続機器管理テーブル３０１と同様、ＨＤＭＩコネクタ１０１に３段目まで機器が接続され、ＨＤＭＩコネクタ１０２に２段目まで機器が接続された状態を示す。また、接続機器管理テーブル３０２は、Ｐｈｙｓｉｃａｌ  Ａｄｄｒｅｓｓが１．０．０．０及び２．０．０．０の機器（ＤＴＶ１００と直接接続された全ての機器）がEthernet非対応である状態を示す。
【００３５】
図２に戻り、Ｓ２０５で、電源制御部１１１は、接続機器ツリー管理部１０９から接続機器管理テーブルを取得する。そして、電源制御部１１１は、ＤＴＶ１００と直接接続している機器（Ｐｈｙｓｉｃａｌ  Ａｄｄｒｅｓｓの２桁目移行が全て０である機器）がＨＥＣ対応であるか否かを判定する。少なくとも１つの機器がＨＥＣ対応の場合、処理はＳ２０６に進み、全ての機器がＨＥＣ非対応の場合、処理はＳ２０７に進む。なお、機器が接続されていないＨＤＭＩコネクタについては、ＨＥＣ非対応の場合と同等に扱われる。
【００３６】
Ｓ２０６で、電源部１１２は、ＨＥＣ非対応機器が接続されたＨＤＭＩコネクタ（機器が接続されていないＨＤＭＩコネクタを含む）に対応するポートに対する給電を停止する。一方、電源部１１２は、ルーティング手段としてのEthernetスイッチ部１０６及びその他のポートに対する給電を継続する。従って、複数のポートのうち、ＨＥＣ対応のＨＤＭＩ機器が接続されていないＨＤＭＩコネクタに対応するポートに対してのみ、給電が停止される。接続機器管理テーブル３０１の例では、電源部１１２は、受電部１６０、１６１、及び１６３に対する給電は継続し、受電部１６２（ＨＤＭＩコネクタ１０２のためのＨＥＣ通信手段）に対する給電は停止する。
【００３７】
Ｓ２０７で、電源部１１２は、Ethernetスイッチ部１０６の全ポート（ポート１５１乃至１５３）に対する給電を停止する。また、電源部１１２は、ルーティング手段としてのEthernetスイッチ部１０６に対する給電も停止する。例えば、接続機器管理テーブル３０２の場合に、Ｓ２０７の処理が行われる。但し、前述のようにＳ２０１を省略した場合は、Ｓ２０７において、電源制御部１１１は、ＤＴＶ１００がスタンバイ状態であるか否かを判定してもよい。スタンバイ状態でない場合、電源部１１２は、受電部１６０及び１６３に対する給電を継続してもよい。これにより、ＨＥＣ対応のＨＤＭＩ機器がＨＤＭＩコネクタに接続されていない場合であっても、ＤＴＶ１００自体がEthernetコネクタ１０７を介してホームネットワークへの参加を継続することができる。
【００３８】
以上説明したように、本実施形態によれば、Ethernetスイッチ部１０６において、ＨＥＣ対応通信機器が接続されていないＨＤＭＩコネクタのためのポート（ＨＥＣ通信手段）に対する給電が停止される。従って、ＤＴＶ１００の無駄な電力消費が抑制される。
【００３９】
［第２の実施形態］
第２の実施形態では、ＨＤＭＩコネクタ１０１又は１０２に接続されているＨＤＭＩ機器の変化に対処する技術について説明する。図４は、第２の実施形態に係るＤＴＶ１００の概略構成を示すブロック図である。図４において、図１と同一又は同様の機能を持つブロックには同一の符号を付し、説明を省略する。
【００４０】
接続変更判定部４０１は、接続機器ツリー管理部１０９に対して、ＣＥＣコマンド（Ｐｏｌｌｉｎｇ）及びＣＥＣコマンド（Ｇｅｔ  Ｐｈｙｓｉｃａｌ  Ａｄｄｒｅｓｓ）の送信を定期的に指示する。接続変更判定部４０１はまた、接続機器機能判定部１１０に対して、ＣＤＣコマンド（ＨＥＣ  Ｆｕｎｃｔｉｏｎａｌｉｔｙ  Ｓｔａｔｅ）の送信を定期的に指示する。そして、接続変更判定部４０１は、接続機器ツリー管理部１０９が記憶している接続機器テーブルに変化があったか否かを判定する。
【００４１】
図５は、第２の実施形態に係る給電制御を示すフローチャートである。図５において、図２と同一又は同様の処理が行われるステップには同一の符号を付し、説明を省略する。Ｓ５０１で、接続変更判定部４０１は、接続機器ツリー管理部１０９が記憶している接続機器テーブルに変化があったか否かを判定する。変化があった場合（接続機器テーブルが最初に生成された場合を含む）、処理はＳ２０５に進み、そうでない場合、処理はＳ５０２に進む。Ｓ５０２で、処理は一定時間待機し、Ｓ２０１に戻る。また、Ｓ２０６又はＳ２０７の処理の後、本フローチャートの処理はＳ５０２に進む。Ｓ５０２の処理の後、Ｓ２０２乃至Ｓ２０４の処理が再び実行されるため、ＣＥＣコマンド及びＣＤＣコマンドの送信が定期的に行われる。
【００４２】
以上の処理により、例えばユーザがＨＤＭＩコネクタ１０１又は１０２に接続されているＨＤＭＩ機器を他のＨＤＭＩ機器に交換した場合などに、交換後のＨＤＭＩ機器に応じた給電制御が行われる。
【００４３】
［その他の実施形態］
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2011203871.tif 000003
【図２】
2011203871.tif 000004
【図３】
2011203871.tif 000005
【図４】
2011203871.tif 000006
【図５】
2011203871.tif 000007